【手続補正書】
【提出日】平成27年7月7日(2015.7.7)
【手続補正１】
【補正対象書類名】特許請求の範囲
【補正対象項目名】全文
【補正方法】変更
【補正の内容】
【特許請求の範囲】
【請求項１】
マイクロ波ベースの組織修正システムにおけるアプリケータとの使用のための組織界面モジュールであって、前記組織界面モジュールは、
前記組織界面モジュールの近位側における取付け機構であって、前記取付け機構は、アプリケータに取り付くように適合されている、取付け機構と、
前記アプリケータのマイクロ波アンテナ、冷却要素、および真空ポートを受け取るように適合されているアプリケータチャンバであって、前記アプリケータチャンバは、遠位側において生体障壁を備えている、アプリケータチャンバと、
前記組織界面モジュールの遠位側において組織取込み開口部を有する組織取込みチャンバと、
前記アプリケータチャンバと前記組織取込みチャンバとの間に配置され、それらと連通しているフィルタであって、前記フィルタは、空気が通過することを可能にし、液体が通過することを防止するように構成されている開口部を備えている、フィルタと
を備えている、組織界面モジュール。
【請求項２】
前記組織取込みチャンバと前記フィルタとの間にあり、それらと連通している可変流量制限器をさらに備えている、請求項１に記載の組織界面モジュール。
【請求項３】
前記可変流量制限器は、前記組織取込みチャンバと前記フィルタとの間の圧力差に応答して、前記組織取込みチャンバと前記フィルタとの間の流動開口部を拡張するように適合されている可撓性要素を備えている、請求項２に記載の組織界面モジュール。
【請求項４】
前記取付け機構は、前記アプリケータにおける対応する要素に磁気的に取り付くように適合されている磁気要素を備えている、請求項１に記載の組織界面モジュール。
【請求項５】
前記アプリケータ上の対応するアプリケータ係合表面と係合するように適合されている組織界面モジュール係合表面をさらに備え、前記組織界面モジュール係合表面は、前記生体障壁に対して、約２２．５度の角度で配置されている、請求項１に記載の組織界面モジュール。
【請求項６】
前記アプリケータ上の対応するアプリケータ係合表面と係合するように適合されている組織界面モジュール係合表面をさらに備え、前記組織界面モジュール係合表面は、前記生体障壁に対して、約１７．５度〜２７．５度の角度で配置されている、請求項１に記載の組織界面モジュール。
【請求項７】
前記アプリケータ上の対応するアプリケータ係合表面と係合するように適合されている組織界面モジュール係合表面をさらに備え、前記組織界面モジュール係合表面は、前記生体障壁に対して、約１２．５度〜３２．５度の角度で配置されている、請求項１に記載の組織界面モジュール。
【請求項８】
前記組織取込みチャンバから、前記フィルタを通る、前記アプリケータチャンバ内への真空流路を備えている、請求項１に記載の組織界面モジュール。
【請求項９】
前記組織取込みチャンバから、前記フィルタを通り、前記アプリケータチャンバを通る、前記アプリケータの真空ポート内への真空流路を備えている、請求項１に記載の組織界面モジュール。
【請求項１０】
前記アプリケータチャンバと前記組織取込みチャンバとの間に配置され、それらと連通している、第２のフィルタをさらに備え、前記第２のフィルタは、空気の通過を可能にし、液体の通過を防止するように構成されている、請求項１に記載の組織界面モジュール。
【請求項１１】
前記フィルタおよび前記第２のフィルタは、前記生体障壁の両側に位置付けられている、請、求項１０に記載の組織界面モジュール。
【請求項１２】
前記生体障壁は、前記フィルタと前記第２のフィルタとを組み合わせたものとほぼ同一の表面積を備えている、請求項１０に記載の組織界面モジュール。
【請求項１３】
前記取付け機構は、強磁性プレートを備え、前記強磁性プレートは、磁気回路の完成に応じて、前記アプリケータに取り付くように適合されている、請求項１に記載の組織界面モジュール。
【請求項１４】
患者の組織を治療するためのシステムであって、前記システムは、
組織界面モジュールおよびアプリケータであって、前記組織界面モジュールは、マイクロ波アンテナ、冷却プレート、および真空ポートを前記組織界面モジュールのアプリケータチャンバ内に設置するために、前記アプリケータに取り付けられるように構成され、前記組織界面モジュールの組織取込みチャンバの遠位開口部は、組織表面に対して設置されるように構成されている、組織界面モジュールおよびアプリケータと、
前記アプリケータ内の真空源から、前記アプリケータチャンバと、前記アプリケータチャンバと前記組織取込みチャンバとの間のフィルタとを通して、真空を吸い込む手段と、
マイクロ波エネルギーを前記患者の組織に印加する手段と
を含む、システム。
【請求項１５】
前記組織取込みチャンバと前記フィルタとの間の開口部は、前記真空源から真空を吸い込むことによって変動させられるように構成されている、請求項１４に記載のシステム。
【請求項１６】
前記組織取込みチャンバと前記フィルタとの間の前記開口部は、可撓性部材を移動させ、前記開口部のサイズを変化させることによって変動させられるように構成されている、請求項１５に記載のシステム。
【請求項１７】
前記組織界面モジュールは、前記アプリケータに磁気的に結合されるように構成されている、請求項１４に記載のシステム。
【請求項１８】
前記アプリケータチャンバは、遠位側に生体障壁を備え、磁気組織界面モジュール係合表面は、前記組織界面モジュールを前記アプリケータに取り付けるために、前記アプリケータ上の対応するアプリケータ係合表面と係合されるように構成され、前記組織界面モジュール係合表面は、前記生体障壁に対して、約１７．５度〜２７．５度の角度で配置されている、請求項１４に記載のシステム。
【請求項１９】
マイクロ波ベースの組織修正システムであって、前記組織修正システムは、
マイクロ波アンテナ、冷却要素、および真空ポートを備えているマイクロ波アプリケータと、
組織界面モジュールと
を備え、
前記組織界面モジュールは、
前記組織界面モジュールの近位側における取付け機構であって、前記取付け機構は、前記マイクロ波アプリケータに取り付くように適合されている、取付け機構と、
前記マイクロ波アプリケータの前記マイクロ波アンテナ、前記冷却要素、および前記真空ポートに接続するように適合されているアプリケータチャンバであって、前記アプリケータチャンバは、遠位側において生体障壁を備えている、アプリケータチャンバと、
前記組織界面モジュールの遠位側において組織取込み開口部を有する組織取込みチャンバと、
前記アプリケータチャンバと前記組織取込みチャンバとの間に配置され、それらと連通しているフィルタであって、前記フィルタは、空気が通過することを可能にし、液体が通過することを防止するように構成されている開口部を備えている、フィルタと
を備えている、組織修正システム。
【請求項２０】
前記組織取込みチャンバと前記フィルタとの間にあり、それらと連通している可変流量制限器をさらに備えている、請求項１９に記載の組織修正システム。
【請求項２１】
前記取付け機構は、前記アプリケータにおける対応する要素に磁気的に取り付くように適合されている磁気要素を備えている、請求項１９に記載の組織修正システム。
【請求項２２】
前記マイクロ波アプリケータ上の対応するアプリケータ係合表面と係合するように適合されている組織界面モジュール係合表面をさらに備え、前記組織界面モジュール係合表面は、前記生体障壁に対して、約１７．５度〜２７．５度の角度で配置されている、請求項１９に記載の組織修正システム。
【請求項２３】
前記組織取込みチャンバから、前記フィルタを通り、前記アプリケータチャンバを通る、前記マイクロ波アプリケータの前記真空ポート内への真空流路を備えている、請求項１９に記載の組織修正システム。
【請求項２４】
前記組織界面モジュールは、前記アプリケータチャンバと前記組織取込みチャンバとの間に配置され、それらと連通している第２のフィルタをさらに備え、前記第２のフィルタは、空気の通過を可能にし、液体の通過を防止するように構成されている開口部を備えている、請求項１９に記載の組織修正システム。
【請求項２５】
前記フィルタおよび前記第２のフィルタは、前記生体障壁の両側に位置付けられている、請、求項２４に記載の組織修正システム。
【請求項２６】
マイクロ波ベースの組織修正システムにおけるアプリケータとの使用のための組織界面モジュールであって、前記組織界面モジュールは、
前記組織界面モジュールの近位側における取付け機構であって、前記取付け機構は、アプリケータに取り付くように適合され、前記取付け機構は、水平から約１７．５度〜２７．５度の角度を形成する係合表面を備えている、取付け機構と、
前記アプリケータのマイクロ波アンテナ、冷却要素、および真空ポートに接続するように適合されているアプリケータチャンバであって、前記アプリケータチャンバは、遠位側における生体障壁を備え、前記生体障壁は、空気および液体が通過することを防止するように構成されている、アプリケータチャンバと、
前記組織界面モジュールの遠位側におけるスカートによって画定される組織取込み開口部を有する組織取込みチャンバと、
前記アプリケータチャンバと前記組織取込みチャンバとの間に配置され、それらと連通しているフィルタであって、前記フィルタは、空気が通過することを可能にし、液体が通過することを防止するように構成されている開口部を備えている、フィルタと
を備えている、組織界面モジュール。
【請求項２７】
前記組織取込みチャンバから、前記フィルタを通り、前記アプリケータチャンバを通る、前記マイクロ波アプリケータの前記真空ポート内への真空流路を備えている、請求項２６に記載の組織界面モジュール。
【請求項２８】
前記組織界面モジュールは、前記アプリケータチャンバと前記組織取込みチャンバとの間に配置され、それらと連通している第２のフィルタをさらに備え、前記第２のフィルタは、空気の通過を可能にし、液体の通過を防止するように構成されている開口部を備えている、請求項２６に記載の組織界面モジュール。
【請求項２９】
前記フィルタおよび前記第２のフィルタは、前記生体障壁の両側に位置付けられている、請、求項２８に記載の組織界面モジュール。
【請求項３０】
前記組織取込みチャンバと前記フィルタとの間に配置されている流体トラップをさらに備え、前記流体トラップは、組織および液体を捕捉するように構成されている、請求項２６に記載の組織界面モジュール。
【請求項３１】
患者の組織を治療するためのシステムであって、前記システムは、
組織界面モジュールおよびアプリケータであって、前記組織界面モジュールは、マイクロ波アンテナ、冷却プレート、および真空ポートを前記組織界面モジュールのアプリケータチャンバ内に設置するために、前記アプリケータに嵌合させられるように構成され、前記組織界面モジュールの組織取込みチャンバの遠位開口部は、組織表面に対して設置されるように構成されている、組織界面モジュールおよびアプリケータと、
作動させられるように構成された磁石であって、前記磁石の作動は、前記組織界面モジュールの取付け機構と前記アプリケータとの間の磁気回路を完成させる、磁石と、
前記アプリケータ内の真空源から、前記アプリケータチャンバと、前記アプリケータチャンバと前記組織取込みチャンバとの間のフィルタとを通して、真空を吸い込む手段と、
マイクロ波エネルギーを前記患者の組織に印加する手段と
を含む、システム。
【請求項３２】
消耗品医療デバイスであって、前記医療デバイスは、
アプリケータチャンバであって、前記アプリケータチャンバは、前記消耗品の近位側に位置付けられている、アプリケータチャンバと、
組織チャンバであって、前記組織チャンバは、前記消耗品医療デバイスの遠位側に位置付けられている、組織チャンバと、
前記アプリケータチャンバおよび前記組織チャンバとの間に位置付けられている第１の生体障壁であって、前記生体障壁は、実質的に不浸透性であり、可撓性であり、マイクロ波透過性である、第１の生体障壁と、
真空経路と
を備え、
前記真空経路は、前記アプリケータチャンバの遠位端から前記組織チャンバの近位端に延在し、
前記真空経路は、第２の生体障壁と、真空トラップと、拡張可能開口とを備え、
前記真空経路は、前記組織チャンバから、前記拡張可能開口を通り、前記真空トラップを通り、前記第２の生体障壁を通る、前記アプリケータチャンバ内への空気の流動を促進するように適合されている、消耗品医療デバイス。
【請求項３３】
前記消耗品は、
シェルと、
挿入体であって、前記挿入体は、前記シェル内に位置付けられ、前記消耗品の本体を形成する、挿入体と、
ガスケットであって、前記ガスケットは、
前記挿入体上に位置付けられ、
前記ガスケットの遠位側における前記挿入体と前記シェルとの間に真空シールを提供し、
前記ガスケットの近位側におけるアプリケータに対する真空シールを提供するように成形され、
前記真空トラップの一部を形成する、
ガスケットと
をさらに備えている、請求項３２に記載の消耗品。
【請求項３４】
前記消耗品は、反射体をさらに備え、前記反射体は、前記アプリケータチャンバに入射する任意のマイクロ波エネルギーの少なくとも一部を反射し、
前記アプリケータチャンバ内に位置付けられているアプリケータから電気的に絶縁され、
前記シェルと前記挿入体との間に位置付けられ、
前記組織チャンバの少なくとも一部を囲む遠位端を有する、
請求項３３に記載の消耗品。
【請求項３５】
前記消耗品は、ラッチプレートをさらに備え、前記ラッチプレートは、
前記アプリケータチャンバ内に位置付けられ、
前記挿入体上に位置付けられ、
前記第１の生体障壁が第１の位置にある場合、前記第１の生体障壁と所定の角度を形成する、
請求項３２−３４のいずれかに記載の消耗品。
【請求項３６】
消耗品医療デバイスを通して空気を引き込むためのシステムであって、前記システムは、
前記消耗品医療デバイスのアプリケータチャンバ内に真空を生成する手段であって、前記アプリケータチャンバは、第１の生体障壁によって、組織チャンバから分離され、前記第１の生体障壁は、可撓性であり、かつ、体液および空気に対して不浸透性である、手段と、
真空トラップから、第２の生体障壁を通して、前記アプリケータチャンバ内に空気を引き込む手段であって、前記第２の生体障壁は、空気に対して浸透性であるが、体液に対して実質的に不浸透性である、手段と、
拡張可能開口を通して、前記真空トラップ内に空気を引き込む手段であって、前記拡張可能開口は、
前記組織チャンバを実質的に囲み、
少なくとも部分的に、前記第１の生体障壁によって形成され、
前記アプリケータチャンバへの真空の印加に応じて開放し、前記第１の生体障壁を前記アプリケータチャンバ内に（冷却プレートに対して）引き込む、
手段と、
前記組織チャンバ内に真空を生成する手段と、
前記組織チャンバ内に生成された真空を使用して、前記組織チャンバの外側に位置付けられている組織を前記組織チャンバ内に引き込む手段と
を含む、システム。
【請求項３７】
汗を減少させる目的のためにエネルギーを患者に伝送するためのシステムであって、前記システムは、
アプリケータを通して前記エネルギーを伝送する手段であって、
前記アプリケータは、アンテナと、電場拡散器と、流体チャネルと、冷却プレートとを備えている、手段と、
消耗品を通して前記エネルギーを伝送する手段であって、
前記消耗品は、アプリケータチャンバと、可撓性生体障壁と、組織チャンバとを備えている、手段と
を含む、システム。
【請求項３８】
可撓性生体障壁および冷却プレートを含む消耗品であって、前記可撓性生体障壁および冷却プレートは、組織チャンバをアプリケータチャンバに接続する拡張可能チャネルを形成するために協働するように構成され、前記消耗品は、真空経路を含み、
前記組織チャンバからの空気は、前記拡張可能チャネルと、流体トラップと、第２の生体障壁と、第２の生体障壁を取付け機構から分離する真空チャネルと、アプリケータチャンバとを通過する、消耗品。
【請求項３９】
前記取付け機構は、磁気プレートを備えている、請求項３８に記載の消耗品。
【請求項４０】
ケーブルアセンブリを通してアプリケータをマイクロ波発生器コンソールに接続するように適合されている多機能コネクタであって、
前記コネクタは、冷却流体コネクタと、冷却流体戻りコネクタと、マイクロ波コネクタと、電子コネクタと、真空コネクタとを備えている、コネクタ。
【手続補正２】
【補正対象書類名】明細書
【補正対象項目名】００３６
【補正方法】変更
【補正の内容】
【００３６】
別の実施形態は、ケーブルアセンブリを通してアプリケータをマイクロ波発生器コンソールに接続するように適合されている多機能コネクタであって、冷却流体コネクタ、冷却流体戻りコネクタ、マイクロ波コネクタ、電子コネクタ、および真空コネクタを備えているコネクタを備えている。
本願明細書は、例えば、以下の項目も提供する。
（項目１）
マイクロ波ベースの組織修正システムにおけるアプリケータとの使用のための組織界面モジュールであって、前記組織界面モジュールは、
前記組織界面モジュールの近位側における取付け機構であって、前記取付け機構は、アプリケータに取り付くように適合されている、取付け機構と、
前記アプリケータのマイクロ波アンテナ、冷却要素、および真空ポートを受け取るように適合されているアプリケータチャンバであって、前記アプリケータチャンバは、遠位側において生体障壁を備えている、アプリケータチャンバと、
前記組織界面モジュールの遠位側において組織取込み開口部を有する組織取込みチャンバと、
前記アプリケータチャンバと前記組織取込みチャンバとの間に配置され、それらと連通しているフィルタであって、前記フィルタは、空気が通過することを可能にし、液体が通過することを防止するように構成されている開口部を備えている、フィルタと
を備えている、組織界面モジュール。
（項目２）
前記組織取込みチャンバと前記フィルタとの間にあり、それらと連通している可変流量制限器をさらに備えている、項目１に記載の組織界面モジュール。
（項目３）
前記可変流量制限器は、前記組織取込みチャンバと前記フィルタとの間の圧力差に応答して、前記組織取込みチャンバと前記フィルタとの間の流動開口部を拡張するように適合されている可撓性要素を備えている、項目２に記載の組織界面モジュール。
（項目４）
前記取付け機構は、前記アプリケータにおける対応する要素に磁気的に取り付くように適合されている磁気要素を備えている、項目１に記載の組織界面モジュール。
（項目５）
前記アプリケータ上の対応するアプリケータ係合表面と係合するように適合されている組織界面モジュール係合表面をさらに備え、前記組織界面モジュール係合表面は、前記生体障壁に対して、約２２．５度の角度で配置されている、項目１に記載の組織界面モジュール。
（項目６）
前記アプリケータ上の対応するアプリケータ係合表面と係合するように適合されている組織界面モジュール係合表面をさらに備え、前記組織界面モジュール係合表面は、前記生体障壁に対して、約１７．５度〜２７．５度の角度で配置されている、項目１に記載の組織界面モジュール。
（項目７）
前記アプリケータ上の対応するアプリケータ係合表面と係合するように適合されている組織界面モジュール係合表面をさらに備え、前記組織界面モジュール係合表面は、前記生体障壁に対して、約１２．５度〜３２．５度の角度で配置されている、項目１に記載の組織界面モジュール。
（項目８）
前記組織取込みチャンバから、前記フィルタを通る、前記アプリケータチャンバ内への真空流路を備えている、項目１に記載の組織界面モジュール。
（項目９）
前記組織取込みチャンバから、前記フィルタを通り、前記アプリケータチャンバを通る、前記アプリケータの真空ポート内への真空流路を備えている、項目１に記載の組織界面モジュール。
（項目１０）
前記アプリケータチャンバと前記組織取込みチャンバとの間に配置され、それらと連通している、第２のフィルタをさらに備え、前記第２のフィルタは、空気の通過を可能にし、液体の通過を防止するように構成されている、項目１に記載の組織界面モジュール。
（項目１１）
前記フィルタおよび前記第２のフィルタは、前記生体障壁の両側に位置付けられている、項目１０に記載の組織界面モジュール。
（項目１２）
前記生体障壁は、前記フィルタと前記第２のフィルタとを組み合わせたものとほぼ同一の表面積を備えている、項目１０に記載の組織界面モジュール。
（項目１３）
前記取付け機構は、強磁性プレートを備え、前記強磁性プレートは、磁気回路の完成に応じて、前記アプリケータに取り付くように適合されている、項目１に記載の組織界面モジュール。
（項目１４）
患者の組織を治療する方法であって、
組織界面モジュールをアプリケータに取り付け、マイクロ波アンテナ、冷却プレート、および真空ポートを前記組織界面モジュールのアプリケータチャンバ内に設置することと、
前記組織界面モジュールの組織取込みチャンバの遠位開口部を組織表面に対して設置することと、
前記アプリケータ内の真空源から、前記アプリケータチャンバと、前記アプリケータチャンバと前記組織取込みチャンバとの間のフィルタとを通して、真空を吸い込むことと、
マイクロ波エネルギーを前記患者の組織に印加することと
を含む、方法。
（項目１５）
真空を吸い込むステップの間、前記組織取込みチャンバと前記フィルタとの間の開口部のサイズを変動させることをさらに含む、項目１４に記載の方法。
（項目１６）
前記変動させるステップは、可撓性部材を移動させ、前記開口部のサイズを変化させることを含む、項目１５に記載の方法。
（項目１７）
前記取り付けるステップは、前記組織界面モジュールを前記アプリケータに磁気的に結合することを含む、項目１４に記載の方法。
（項目１８）
前記アプリケータチャンバは、遠位側に生体障壁を備え、前記取り付けるステップは、磁気組織界面モジュール係合表面を前記アプリケータ上の対応するアプリケータ係合表面と係合することを含み、組織界面モジュール係合表面は、前記生体障壁に対して、約１７．５度〜２７．５度の角度で配置されている、項目１４に記載の方法。
（項目１９）
マイクロ波ベースの組織修正システムであって、
マイクロ波アンテナ、冷却要素、および真空ポートを備えているマイクロ波アプリケータと、
組織界面モジュールと
を備え、
前記組織界面モジュールは、
前記組織界面モジュールの近位側における取付け機構であって、前記取付け機構は、前記マイクロ波アプリケータに取り付くように適合されている、取付け機構と、
前記マイクロ波アプリケータの前記マイクロ波アンテナ、前記冷却要素、および前記真空ポートに接続するように適合されているアプリケータチャンバであって、前記アプリケータチャンバは、遠位側において生体障壁を備えている、アプリケータチャンバと、
前記組織界面モジュールの遠位側において組織取込み開口部を有する組織取込みチャンバと、
前記アプリケータチャンバと前記組織取込みチャンバとの間に配置され、それらと連通しているフィルタであって、前記フィルタは、空気が通過することを可能にし、液体が通過することを防止するように構成されている開口部を備えている、フィルタと
を備えている、組織修正システム。
（項目２０）
前記組織取込みチャンバと前記フィルタとの間にあり、それらと連通している可変流量制限器をさらに備えている、項目１９に記載の組織修正システム。
（項目２１）
前記取付け機構は、前記アプリケータにおける対応する要素に磁気的に取り付くように適合されている磁気要素を備えている、項目１９に記載の組織修正システム。
（項目２２）
前記マイクロ波アプリケータ上の対応するアプリケータ係合表面と係合するように適合されている組織界面モジュール係合表面をさらに備え、前記組織界面モジュール係合表面は、前記生体障壁に対して、約１７．５度〜２７．５度の角度で配置されている、項目１９に記載の組織修正システム。
（項目２３）
前記組織取込みチャンバから、前記フィルタを通り、前記アプリケータチャンバを通る、前記マイクロ波アプリケータの前記真空ポート内への真空流路を備えている、項目１９に記載の組織修正システム。
（項目２４）
前記組織界面モジュールは、前記アプリケータチャンバと前記組織取込みチャンバとの間に配置され、それらと連通している第２のフィルタをさらに備え、前記第２のフィルタは、空気の通過を可能にし、液体の通過を防止するように構成されている開口部を備えている、項目１９に記載の組織修正システム。
（項目２５）
前記フィルタおよび前記第２のフィルタは、前記生体障壁の両側に位置付けられている、項目２４に記載の組織修正システム。
（項目２６）
マイクロ波ベースの組織修正システムにおけるアプリケータとの使用のための組織界面モジュールであって、前記組織界面モジュールは、
前記組織界面モジュールの近位側における取付け機構であって、前記取付け機構は、アプリケータに取り付くように適合され、前記取付け機構は、水平から約１７．５度〜２７．５度の角度を形成する係合表面を備えている、取付け機構と、
前記アプリケータのマイクロ波アンテナ、冷却要素、および真空ポートに接続するように適合されているアプリケータチャンバであって、前記アプリケータチャンバは、遠位側における生体障壁を備え、前記生体障壁は、空気および液体が通過することを防止するように構成されている、アプリケータチャンバと、
前記組織界面モジュールの遠位側におけるスカートによって画定される組織取込み開口部を有する組織取込みチャンバと、
前記アプリケータチャンバと前記組織取込みチャンバとの間に配置され、それらと連通しているフィルタであって、前記フィルタは、空気が通過することを可能にし、液体が通過することを防止するように構成されている開口部を備えている、フィルタと
を備えている、組織界面モジュール。
（項目２７）
前記組織取込みチャンバから、前記フィルタを通り、前記アプリケータチャンバを通る、前記マイクロ波アプリケータの前記真空ポート内への真空流路を備えている、項目２６に記載の組織界面モジュール。
（項目２８）
前記組織界面モジュールは、前記アプリケータチャンバと前記組織取込みチャンバとの間に配置され、それらと連通している第２のフィルタをさらに備え、前記第２のフィルタは、空気の通過を可能にし、液体の通過を防止するように構成されている開口部を備えている、項目２６に記載の組織界面モジュール。
（項目２９）
前記フィルタおよび前記第２のフィルタは、前記生体障壁の両側に位置付けられている、項目２８に記載の組織界面モジュール。
（項目３０）
前記組織取込みチャンバと前記フィルタとの間に配置されている流体トラップをさらに備え、前記流体トラップは、組織および液体を捕捉するように構成されている、項目２６に記載の組織界面モジュール。
（項目３１）
患者の組織を治療する方法であって、
組織界面モジュールをアプリケータに嵌合させ、マイクロ波アンテナ、冷却プレート、および真空ポートを前記組織界面モジュールのアプリケータチャンバ内に設置することと、
磁石を作動させ、前記組織界面モジュールの取付け機構と前記アプリケータとの間の磁気回路を完成させることと、
前記組織界面モジュールの組織取込みチャンバの遠位開口部を組織表面に対して設置することと、
前記アプリケータ内の真空源から、前記アプリケータチャンバと、前記アプリケータチャンバと前記組織取込みチャンバとの間のフィルタとを通して、真空を吸い込むことと、
マイクロ波エネルギーを前記患者の組織に印加することと
を含む、方法。
（項目３２）
消耗品医療デバイスであって、前記医療デバイスは、
アプリケータチャンバであって、前記アプリケータチャンバは、前記消耗品の近位側に位置付けられている、アプリケータチャンバと、
組織チャンバであって、前記組織チャンバは、前記消耗品医療デバイスの遠位側に位置付けられている、組織チャンバと、
前記アプリケータチャンバおよび前記組織チャンバとの間に位置付けられている第１の生体障壁であって、前記生体障壁は、実質的に不浸透性であり、可撓性であり、マイクロ波透過性である、第１の生体障壁と、
真空経路と
を備え、
前記真空経路は、前記アプリケータチャンバの遠位端から前記組織チャンバの近位端に延在し、
前記真空経路は、第２の生体障壁と、真空トラップと、拡張可能開口とを備え、
前記真空経路は、前記組織チャンバから、前記拡張可能開口を通り、前記真空トラップを通り、前記第２の生体障壁を通る、前記アプリケータチャンバ内への空気の流動を促進するように適合されている、
消耗品医療デバイス。
（項目３３）
前記消耗品は、
シェルと、
挿入体であって、前記挿入体は、前記シェル内に位置付けられ、前記消耗品の本体を形成する、挿入体と、
ガスケットであって、前記ガスケットは、
前記挿入体上に位置付けられ、
前記ガスケットの遠位側における前記挿入体と前記シェルとの間に真空シールを提供し、
前記ガスケットの近位側におけるアプリケータに対する真空シールを提供するように成形され、
前記真空トラップの一部を形成する、
ガスケットと
をさらに備えている、項目３２に記載の消耗品。
（項目３４）
前記消耗品は、反射体をさらに備え、前記反射体は、前記アプリケータチャンバに入射する任意のマイクロ波エネルギーの少なくとも一部を反射し、
前記アプリケータチャンバ内に位置付けられているアプリケータから電気的に絶縁され、
前記シェルと前記挿入体との間に位置付けられ、
前記組織チャンバの少なくとも一部を囲む遠位端を有する、
項目３３に記載の消耗品。
（項目３５）
前記消耗品は、ラッチプレートをさらに備え、前記ラッチプレートは、
前記アプリケータチャンバ内に位置付けられ、
前記挿入体上に位置付けられ、
前記第１の生体障壁が第１の位置にある場合、前記第１の生体障壁と所定の角度を形成する、
項目３２−３４のいずれかに記載の消耗品。
（項目３６）
消耗品医療デバイスを通して空気を引き込む方法であって、前記方法は、
前記消耗品医療デバイスのアプリケータチャンバ内に真空を生成するステップであって、前記アプリケータチャンバは、第１の生体障壁によって、組織チャンバから分離され、前記第１の生体障壁は、可撓性であり、かつ、体液および空気に対して不浸透性である、ステップと、
真空トラップから、第２の生体障壁を通して、前記アプリケータチャンバ内に空気を引き込むステップであって、前記第２の生体障壁は、空気に対して浸透性であるが、体液に対して実質的に不浸透性である、ステップと、
拡張可能開口を通して、前記真空トラップ内に空気を引き込むステップであって、前記拡張可能開口は、
前記組織チャンバを実質的に囲み、
少なくとも部分的に、前記第１の生体障壁によって形成され、
前記アプリケータチャンバへの真空の印加に応じて開放し、前記第１の生体障壁を前記アプリケータチャンバ内に（冷却プレートに対して）引き込む、
ステップと、
前記組織チャンバ内に真空を生成するステップと、
前記組織チャンバ内に生成された真空を使用して、前記組織チャンバの外側に位置付けられている組織を前記組織チャンバ内に引き込むステップと
を含む、方法。
（項目３７）
汗を減少させる目的のために、エネルギーを患者に伝送する方法であって、前記方法は、
アプリケータを通して前記エネルギーを伝送するステップであって、
前記アプリケータは、アンテナと、電場拡散器と、流体チャネルと、冷却プレートとを備えている、ステップと、
消耗品を通して前記エネルギーを伝送するステップであって、
前記消耗品は、アプリケータチャンバと、可撓性生体障壁と、組織チャンバとを備えている、ステップと
を含む、方法。
（項目３８）
可撓性生体障壁および冷却プレートを含む消耗品であって、前記可撓性生体障壁および冷却プレートは、組織チャンバをアプリケータチャンバに接続する拡張可能チャネルを形成するために協働するように構成され、前記消耗品は、真空経路を含み、
前記組織チャンバからの空気は、前記拡張可能チャネルと、流体トラップと、第２の生体障壁と、第２の生体障壁を取付け機構から分離する真空チャネルと、アプリケータチャンバとを通過する、消耗品。
（項目３９）
前記取付け機構は、磁気プレートを備えている、項目３８に記載の消耗品。
（項目４０）
ケーブルアセンブリを通してアプリケータをマイクロ波発生器コンソールに接続するように適合されている多機能コネクタであって、前記コネクタは、
前記コネクタは、冷却流体コネクタと、冷却流体戻りコネクタと、マイクロ波コネクタと、電子コネクタと、真空コネクタとを備えている、コネクタ。